(57)【要約】【課題】基板ケースが開けられたことを見抜き易い遊技機を提供する。【解決手段】基板ケース１の上ケース体２の外側にシール台蓋部材４が設けられ、下ケース体３の外側にシール台部材５が設けられ、シール台蓋部材４の基板ケース１の閉鎖状態においてシール台部材５に対向する側に、複数の刃部４１が設けられ、シール台部材５の基板ケース１の閉鎖状態においてシール台蓋部材４に対向する側に、刃部４１の数よりも１つ多いシール貼付部５１が設けられ、基板ケース１を閉鎖状態から開放状態にするために上ケース体２及び下ケース体３の一方を他方に対してスライドさせたときに、各刃部４１がシール貼付部５１とその隣のシール貼付部５１との間の空間部５４を通過するように、各刃部４１及び各シール貼付部５１が配置され、各空間部５４を跨ぐようにすべてのシール貼付部５１にわたって封印シール９が貼付されている遊技機。【選択図】図１１
2010148596.tif 000002
【特許請求の範囲】
【請求項１】
第１のケース部と前記第１のケース部が係着される第２のケース部とを備えて前記両ケース部により形成されるケース本体の内部に基板が収納される基板ケース、を備えた遊技機であって、
前記基板ケースは、前記両ケース部の一方を他方に対してスライドまたは回動させることにより開閉され、
前記第１のケース部の外側に、前記第１のケース部から取外し不能に第１の延長部が設けられ、
前記第２のケース部の外側に、前記基板ケースの閉鎖状態において前記第１の延長部に対向するように、前記第２のケース部から取外し不能に第２の延長部が設けられ、
前記第１の延長部の、前記基板ケースの閉鎖状態において前記第２の延長部に対向する側に、複数の刃部が設けられ、
前記第２の延長部の、前記基板ケースの閉鎖状態において前記第１の延長部に対向する側に、前記刃部の数よりも１つ多いシール貼付部が設けられ、
前記基板ケースを閉鎖状態から開放状態にするために前記両ケース部の一方を他方に対してスライドまたは回動させたときに、前記各刃部が前記シール貼付部とその隣の前記シール貼付部との間の空間部を通過するように、前記各刃部及び前記各シール貼付部が配置され、
前記各空間部を跨ぐようにすべての前記シール貼付部にわたって封印シールが貼付されていることを特徴とする遊技機。
【請求項２】
前記基板ケースの閉鎖状態において密閉される部分に、前記各シール貼付部が配置されたことを特徴とする請求項１記載の遊技機。
【請求項３】
前記各刃部の厚みが、該刃部が通過する前記空間部の幅より僅かに小さくされていることを特徴とする請求項１または２記載の遊技機。
【請求項４】
前記封印シールが前記各空間部を密閉するように貼付されたことを特徴とする請求項１乃至３のいずれかに記載の遊技機。
【請求項５】
前記第１の延長部または前記第２の延長部の少なくとも一方において、少なくとも前記封印シールを外部から視認可能な部位が透明であることを特徴とする請求項１乃至４のいずれかに記載の遊技機。
【請求項６】
前記封印シールがＩＣタグを備えたことを特徴とする請求項１乃至５のいずれかに記載の遊技機。
【発明の詳細な説明】
【技術分野】
【０００１】
本発明は、制御基板等の基板を収納する基板ケースを有したパチンコ遊技機やスロットマシン等の遊技機に関する。
【背景技術】
【０００２】
従来から、パチンコ遊技機等に取着されて制御基板等の基板を収納する基板ケースにおいて、基板ケースの上ケースと下ケースとに跨るように封印シールを貼付して、基板ケースを開けると封印シールが破断されて痕跡が残るようにし、基板ケースが不正に開けられたことを検出可能としたものが知られている（下記特許文献１参照）。
【特許文献１】特開２００６−３２６２８１号公報
【発明の開示】
【発明が解決しようとする課題】
【０００３】
ところが、上述したように上ケースと下ケースとに跨るように封印シールを貼付しても、破断箇所が１箇所である場合、その痕跡が分かり難く、基板ケースの不正開放を見抜けない虞があった。
【０００４】
本発明は、上述した問題を解決するものであり、基板ケースが開けられた場合に封印シールの２箇所以上が破断されるように構成することにより、基板ケースが開けられたことを見抜き易い遊技機を提供することを目的とする。
【課題を解決するための手段】
【０００５】
本発明の遊技機は、第１のケース部と第１のケース部が係着される第２のケース部とを備えて両ケース部により形成されるケース本体の内部に基板が収納される基板ケースを備え、基板ケースは、両ケース部の一方を他方に対してスライドまたは回動させることにより開閉され、第１のケース部の外側に、第１のケース部から取外し不能に第１の延長部が設けられ、第２のケース部の外側に、基板ケースの閉鎖状態において第１の延長部に対向するように、第２のケース部から取外し不能に第２の延長部が設けられ、第１の延長部の、基板ケースの閉鎖状態において第２の延長部に対向する側に、複数の刃部が設けられ、第２の延長部の、基板ケースの閉鎖状態において第１の延長部に対向する側に、刃部の数よりも１つ多いシール貼付部が設けられ、基板ケースを閉鎖状態から開放状態にするために両ケース部の一方を他方に対してスライドまたは回動させたときに、各刃部がシール貼付部とその隣のシール貼付部との間の空間部を通過するように、各刃部及び各シール貼付部が配置され、各空間部を跨ぐようにすべてのシール貼付部にわたって封印シールが貼付されていることを特徴とする。
【０００６】
これによれば、基板ケースを閉鎖状態から開放状態にするために両ケース部の一方を他方に対してスライドまたは回動させたときに、各刃部が封印シールを破断するので、封印シールが複数箇所で破断され、破断の痕跡が分かり易く、基板ケースが開けられたことを見抜き易い。
【０００７】
ここで、基板ケースの閉鎖状態において密閉される部分に、各シール貼付部を配置すれば、基板ケースを開けたり破壊したりしない限り、封印シールが外部から剥がされる虞がない。
【０００８】
また、各刃部の厚みを、該刃部が通過する空間部の幅より僅かに小さくすれば、各刃部が空間部を通過したときに、空間部の側壁に封印シールの破断された一部が押し付けられて付着するので、封印シールの復元は略不可能となり、基板ケースが開けられたことがより分かり易い。
【０００９】
また、封印シールを各空間部を密閉するように貼付すれば、各空間部に外部から埃が入り込まなくなり、封印シールの裏面に埃が付着して封印シールが剥がれ易くなる虞が低減する。
【００１０】
また、第１の延長部または第２の延長部の少なくとも一方において、少なくとも封印シールを外部から視認可能な部位が透明であることとすれば、封印シールの状態が外部から視認し易い。
【００１１】
また、封印シールをＩＣタグを備えたものとすれば、基板ケースが開放されたときＩＣタグが複数箇所で破断されてＩＣタグから情報が読み取れなくなる可能性が高いので、ＩＣタグリーダを用いた不正開放の検出において不正開放を検出できない虞が低減され、封印シールを外部から視認しなくてもＩＣタグリーダを用いて容易に不正開放を検出可能である。
【発明の効果】
【００１２】
本発明のパチンコ遊技機によれば、基板ケースが開けられた場合に封印シールの複数箇所が破断されるように構成されているので、基板ケースが開けられたことを見抜き易い。
【発明を実施するための最良の形態】
【００１３】
以下、本発明の一実施形態について図面に基づいて説明する。図１に示すように、実施形態のパチンコ遊技機Ｐは、遊技盤８と、遊技盤８の後面に取着された盤裏カバー７と、盤裏カバー７に取着されて盤裏カバー７の開口部を閉塞する盤裏カバー蓋６と、盤裏カバー７に取着されて盤裏カバー蓋６の下方に配置される基板ケース１とを備えている。
【００１４】
基板ケース１は、盤裏カバー７に配設された二本の取付軸７１、７１に対して、下ケース体３の側壁部に設けられた断面Ｕ字状の取付フック３９、３９を引っ掛けて、後縁１ａ側を図示しない押え爪片に係止させることにより、遊技機Ｐの背面側に配設されている。また、基板ケース１は、図示しない押え爪片の係止を解除させて側縁を遊技機Ｐの後方側に引けば、取付軸７１回りで回転させて遊技機Ｐから取り外すことができる。なお、基板ケース１は、主制御基板にリード線を結線させるターミナル部を配設するための複数の貫通孔１２、ＲＡＭ消去スイッチの貫通孔１３等を備えているが、これらは公知の機構であり、図２以降ではこれらの機構は省略する。
【００１５】
基板ケース１は、図１、２に示すように、ケース本体１０と、ケース本体１０に装着されたシール収納部１１とから構成されている。ケース本体１０は、図２、３に示すように、第１のケース部に相当する上ケース体２と、第２のケース部に相当する下ケース体３とから構成され、シール収納部１１は、第１の延長部に相当するシール台蓋部材４と、第２の延長部に相当するシール台部材５とから構成されている。基板ケース１は、上ケース体２と下ケース体３とを閉じ合わせることにより形成されるケース本体１０の内部に、主制御基板（図示せず。）を収納するものであり、シール台蓋部材４とシール台部材５は、いずれも、上ケース体２と下ケース体３とを閉じ合わせた後に上ケース体２の前端部と下ケース体３の前端部にそれぞれ取着される後付部材であって、内部に封印シール９を収納するものである。上ケース体２、下ケース体３、シール台蓋部材４、及び、シール台部材５は、いずれも、透明なポリカーボネート等の合成樹脂で形成されている。
【００１６】
なお、図２に示すように、基板ケース１においては、遊技機Ｐに取着された状態（図１参照）で遊技機Ｐの後方に向かう側を上、遊技機Ｐの前方に向かう側を下、遊技機Ｐの上方に向かう側を右、遊技機Ｐの下方に向かう側を左、遊技機Ｐの背面に向かって右方を前、左方を後とする。また、基板ケース１においては、前方が閉方向（閉鎖される方向）、後方が開方向（開放される方向）に相当する。
【００１７】
上ケース体２を下ケース体３に係着させるために、図２〜４に示すように、上ケース体２の左右の側壁部には、それぞれ、３箇所に設けられた孔２０内に係合ピン２１が設けられて、下ケース体３の左右の側壁部には、それぞれ、係合ピン２１に対応して３箇所に略Ｌ字状の挿入溝３１が設けられている。また、図５に示すように、上ケース体２の左右の側壁部には、それぞれ係合凹部２２が設けられ、下ケース体３の左右の側壁部には、それぞれ係合凹部２２に対応して係合凸部３２が設けられている。
【００１８】
また、図３、６に示すように、上ケース体２の前部の上壁部には、シール台蓋部材４の後述する挿入部４７が挿入される係止孔２５が設けられ、下ケース体３の前部の下壁部には、シール台部材５の後述する挿入部５７が挿入される係止孔３５が設けられている。
【００１９】
シール台部材５は、図７に示すように、上方に開口する箱体状のシール配置部５５と、シール配置部５５から後方に延設された係止部５６と、シール配置部５５の底壁から上方に突設された略直方体状の３つのシール貼付部５１とを備えている。なお、各シール貼付部５１を区別するときは、左から順にシール貼付部５１ａ、５１ｂ、５１ｃという。すなわち、シール台部材５には、基板ケース１の閉鎖状態においてシール台蓋部材４に対向する側（上面側）に、シール貼付部５１ａ、５１ｂ、５１ｃが突設されている。なお、シール貼付部５１ａ、５１ｃは、それぞれ、シール配置部５５の左側壁部５２ａ、右側壁部５２ｂと密着している。左側壁部５２ａ、右側壁部５２ｂは、シール台蓋部材４との間の空間を閉塞するために、後半分が一段高く形成されている。各シール貼付部５１とその隣のシール貼付部５１との間には空間部５４が形成されている。なお、各空間部５４を区別するときは、左から順に空間部５４ａ、５４ｂという。また、係止部５６は、後端部に上方に立ち上がる挿入部５７を備え、挿入部５７には爪部５８が形成されている。
【００２０】
各シール貼付部５１には、図８に示すように、封印シール９が、シール貼付部５１ａとその隣のシール貼付部５１ｂとの間の空間部５４ａ、及び、シール貼付部５１ｂとその隣のシール貼付部５１ｃとの間の空間部５４ｂをそれぞれ跨ぐように、シール貼付部５１ａ、５１ｂ、５１ｃにわたって貼付されている。なお、基板ケース１では、封印シール９は、空間部５４ａ、５４ｂを密閉（すなわち、外部と遮断）するように貼付されている。
【００２１】
シール台蓋部材４は、図８に示すように、係止部４６と、係止部４６から一段下がって設けられた矩形板状の刃部配置部４５と、刃部配置部４５から下方に並んで突設された２つの刃部４１とを備えている。なお、各刃部４１を区別するときは、左から順に４１ａ、４１ｂという。すなわち、シール台蓋部材４には、基板ケース１の閉鎖状態においてシール台部材５に対向する側（下面側）に、刃部４１ａ、４１ｂが設けられている。なお、基板ケース１の閉鎖状態とは、上ケース体２と下ケース体３とが閉じ合わされて、シール台蓋部材４とシール台部材５とが装着された状態（図２の状態）をいう。各刃部４１は、下の方ほど前後方向の幅が狭くなる先細りの略三角形板状であり、横断面が五角形をなすように後端部が尖っている。また、係止部４６は、後端部に下方に延びる挿入部４７を備え、挿入部４７には爪部４８が形成されている。
【００２２】
封印シール９は、図９に示すように、可撓性を有したシート状のベース９０を有して、ベース９０の一方の面が粘着剤を塗布された貼着面とされ、この貼着面が各シール貼付部５１に貼付される。なお、ベース９０には、部分的に図示しない多数のスリットや薄肉部が設けられて、破れ易く構成されている。さらに、ベース９０の外周縁は、剥がす際に、凹んだ部分に応力集中が生じて、封印シール９を破断させ易いように、連続的な凹凸を設けて構成されている。また、封印シール９は、貼着面側にＩＣタグ９１を有している。ＩＣタグ９１は、識別情報を格納したＩＣチップ９２と、ＩＣチップ９２を挟んで両側に、ベース９０の対向する２つの角を結ぶように延びるアンテナ部９３、９４とを有して構成されている。このＩＣタグ９１は、所定のＩＣタグリーダを近づければ、アンテナ部９３、９４による電磁誘導によって発生した起電力により、ＩＣチップ９２に格納された識別情報が、アンテナ部９３、９４から発信されて、ＩＣタグリーダによって読み取られるように構成されている。
【００２３】
そして、図１０に示すように、基板ケース１の閉鎖状態においては、刃部配置部４５はシール配置部５５の開口部の前半分を閉塞し、各刃部４１及び各シール貼付部５１は、刃部４１ａが空間部５４ａの前方に位置し、刃部４１ｂが空間部５４ｂの前方に位置するように、配置されている。なお、刃部４１ａ、４１ｂの厚み（左右方向の幅）は、それぞれ、空間部５４ａ、５４ｂの左右方向の幅より僅かに小さくされている。
【００２４】
以上のように構成された基板ケース１内に主制御基板を収納し、基板ケース１を閉鎖するときは、まず、主制御基板（図示せず。）を下ケース体３の上面側に配置後、各係合ピン２１を対応する挿入溝３１の開口３１ａに上から挿入しつつ上ケース体２を下ケース体３に被せて、上ケース体２を下ケース体３に対して図２に示す閉方向にスライドさせる。すると、図４に示すように、係合ピン２１が挿入溝３１をスライドし挿入溝３１の前端で止まるとともに、図５のＣに示すように、係合凸部３２が対応する係合凹部２２に入り込んで、上ケース体２は下ケース体３に係着され、上ケース体２に突設された突出部２３は、下ケース体３に形成された貫通孔３３に挿通されて、ケース本体１０は閉鎖される。
【００２５】
そして、上述したように封印シール９を各シール貼付部５１に貼付したシール台部材５を、挿入部５７に接着剤を塗布して係止孔３５に挿入する。すると、爪部５８が係止されしかも挿入部５７が接着されることにより、シール台部材５は、下ケース体３に取外し不能に装着される。シール台蓋部材４も、同様に、挿入部４７に接着剤を塗布して係止孔２５に挿入する。すると、シール台蓋部材４は、上ケース体２に取外し不能に装着される。そして、図６に示すように、上ケース体２の前壁部、下ケース体３の前壁部、シール台部材５、及び、シール台蓋部材４で密閉された部分に、封印シール９が配置され、基板ケース１は図２に示す閉鎖状態となる。
【００２６】
上記のように閉鎖された基板ケース１を開放するときは、上ケース体２を下ケース体３に対して図２に示す開方向に、各係合ピン２１が挿入溝３１の後端に来るまでスライドさせる。すると、係合凸部３２が係合凹部２２から脱して図５のＡの状態に戻り、上ケース体２に突設された突出部２３は、下ケース体３に形成された貫通孔３３から抜脱して、図１１に示すような状態となる。なお、下ケース体３に対して上ケース体２を、各係合ピン２１が挿入溝３１の後端に来るまでスライドさせた位置を、以下、開放位置という。
【００２７】
このように、開放位置まで上ケース体２を下ケース体３に対してスライドさせたとき、上ケース体２に固着されたシール台蓋部材４はシール台部材５に対してスライドし、シール台蓋部材４に突設された刃部４１ａ、４１ｂが、それぞれ封印シール９を破断して、空間部５４ａ、５４ｂを通過し、図１２、１３に示すような状態となる。このとき、刃部４１ａ、４１ｂの厚みが、それぞれ、空間部５４ａ、５４ｂの幅より僅かに小さくされているため、刃部４１ａ、４１ｂにより、封印シール９の破断された一部が、図１２の符号９ａに示すように、空間部５４ａ、５４ｂの側壁に押し付けられ、空間部５４ａ、５４ｂの側壁に付着する。また、封印シール９の一部は破り取られて、図１３の符号９ｂに示すように、刃部４１ａ、４１ｂの後端部に付着する。
【００２８】
そして、開放位置まで上ケース体２を下ケース体３に対してスライドさせた状態で、上ケース体２を上方に持ち上げると、各係合ピン２１が挿入溝３１から抜脱して、基板ケース１は開放状態となる。
【００２９】
このように、基板ケース１では、閉鎖状態から開放状態にするために上ケース体２を下ケース体３に対してスライドさせたときに、複数の刃部４１がそれぞれ対向する空間部５４を通過するので、各空間部５４を跨ぐようにすべてのシール貼付部５１にわたって貼付されている封印シール９が、各刃部４１で破断される。すなわち、封印シール９が複数箇所で破断されるので、その後に、再び基板ケース１を閉じたとしても、破断の痕跡が分かり易く、基板ケース１が開けられたことが容易に分かる。また、各空間部５４を跨ぐように封印シール９が貼付されているので、破断後の封印シール９を復元して不正開放を隠蔽することは略不可能である。
【００３０】
また、封印シール９を複数箇所で破断すれば、封印シール９に設けられたＩＣタグ９１も複数箇所で破断される可能性が高く、ＩＣタグ９１を複数箇所で破断すればＩＣタグ９１から識別情報を読み取ることは略不可能となるので、ＩＣタグリーダを用いた不正開放の検出において不正開放を検出できない虞が略無くなる。
【００３１】
なお、シール台蓋部材４は透明であるので、ＩＣタグリーダを用いなくても、封印シール９が破断されていることを外部から視認して不正開放を見抜くことが可能である。このように封印シール９を外部から視認可能とした場合には、必ずしも封印シール９をＩＣタグ９１を備えたものとしなくてもよい。なお、基板ケース１では、シール台蓋部材４とシール台部材５のいずれも透明としたが、封印シール９を外部から視認可能とするためには、シール台蓋部材４またはシール台部材５の少なくとも一方において、少なくとも封印シール９を外部から視認可能な部位が透明であればよい。逆に、封印シール９をＩＣタグ９１を備えたものとすれば、封印シール９を外部から視認可能としなくても、ＩＣタグリーダを用いて不正開放を検出可能である。
【００３２】
また、各シール貼付部５１は、基板ケース１の閉鎖状態において密閉される部分に配置されているので、基板ケース１を開けたり破壊したりしない限り、シール貼付部５１に貼付されている封印シール９を外部から剥がされる虞がない。
【００３３】
また、上述したように、各刃部４１の厚みが、その刃部４１が通過する空間部５４の幅より僅かに小さくされているので、各刃部４１が空間部５４を通過したときに、空間部５４の側壁に封印シールの破断された一部が押し付けられて付着するので、封印シール９の復元は略不可能であり、基板ケース１が開けられたことがより分かり易い。
【００３４】
また、封印シール９は各空間部５４を密閉するように貼付されているので、各空間部５４に外部から埃が入り込まず、封印シール９の裏面に埃が付着して封印シール９が剥がれ易くなる虞が低減する。
【００３５】
なお、基板ケース１では、主制御基板を収納してケース本体１０を閉鎖するときにシール貼付部５１に貼付された封印シール９が刃部４１によって破断されることがないように、シール台蓋部材４及びシール台部材５を、ケース本体１０を閉鎖した後に装着する後付部材としたが、シール台蓋部材４またはシール台部材５のいずれか一方のみを後付部材としてもよい。例えば、シール台部材５を下ケース体３に一体形成して、全シール貼付部５１にわたって封印シール９を貼付し、上ケース体２を下ケース体３に係着してケース本体１０を閉鎖状態としてから、上ケース体２にシール台蓋部材４を装着することとしてもよい。逆に、シール台蓋部材４を上ケース体２に一体形成し、上ケース体２を下ケース体３に係着してケース本体１０を閉鎖状態としてから、全シール貼付部５１にわたって封印シール９を貼付したシール台部材５を、下ケース体３に装着することとしてもよい。また、シール台蓋部材４を上ケース体２に一体形成するとともに、シール台部材５を下ケース体３に一体形成し、刃部４１のみを、例えば刃部配置部４５に設けられた孔に上方から挿入し接着する等、シール台蓋部材４に後付で設けるようにしてもよいし、各シール貼付部５１が突設されて全シール貼付部５１にわたって封印シール９が貼付されたシール貼付台を、例えばシール配置部５５の底壁部に設けられた孔に下方から挿入し接着する等、シール台部材５に後付で設けるようにしてもよい。
【００３６】
また、刃部４１は２つ以上であれば幾つでもよく、シール貼付部５１は、刃部４１の数と同数の空間部５４を形成するために、刃部４１の数よりも１つ多ければよい。
【００３７】
また、基板ケース１は、上ケース体２を下ケース体３に対してスライドさせることにより開閉される構成としたが、上ケース体２を下ケース体３に対して回動させることにより開閉される構成としてもよい。以下、かかる場合について、図１４を用いて説明する。なお、図１４では、基板ケース１の各構成要素に対応する構成要素については、基板ケース１における符号にＡが付されている。図１４（ａ）に示すように、シール台蓋部材４Ａは、図１４の紙面手前から奥方向に並設された２つの刃部４１Ａを有し、シール台部材５Ａは、図１４の紙面手前から奥方向に並設された３つのシール貼付部５１Ａを有して、閉鎖状態において、各刃部４１Ａは、それぞれ、シール貼付部５１Ａとその隣のシール貼付部５１Ａとの間の空間部の下方に位置するように配置されている。また、各シール貼付部５１Ａとその隣のシール貼付部５１Ａとの間の空間部を跨ぐように、すべてのシール貼付部５１Ａにわたって封印シール９Ａが貼付されている。シール台蓋部材４Ａは図示しない上ケース体の回動軸側とは反対側に、シール台部材５Ａは図示しない下ケース体の回動軸側とは反対側に、それぞれ、取外し不能に装着されており、上ケース体を下ケース体に対して回動させたとき、図１４（ｂ）に示すように、各刃部４１Ａが、シール貼付部５１Ａとその隣のシール貼付部５１Ａとの間の空間部を通過する。したがって、封印シール９Ａは複数箇所で破断される。このため、基板ケース１の場合と同様に開放された痕跡が分かり易い。
【図面の簡単な説明】
【００３８】
【図１】本発明の実施形態に係るパチンコ遊技機の背面図である。
【図２】同実施形態に係る基板ケースの斜視図であり、閉鎖状態を示す。
【図３】同実施形態に係る基板ケースの分解斜視図である。
【図４】図２のIV-IV部位端面図である。
【図５】同実施形態の基板ケースの係合凸部が係合凹部に係合される様子を順に示す要部断面図であり、Ａは係合前を、Ｂは係合途中を、Ｃは係合された状態を示す。
【図６】図２のVI-VI部位要部断面図である。
【図７】同実施形態に係るシール台部材のシール貼付前の斜視図である。
【図８】同実施形態に係るシール台部材のシール貼付後及びシール台蓋部材の斜視図である。
【図９】同実施形態に係る封印シールの平面図である。
【図１０】図２の状態におけるシール台部材とシール台蓋部材の斜視図である。
【図１１】同実施形態に係る基板ケースを開放位置までスライドさせたときの斜視図である。
【図１２】図１１の状態におけるシール台部材とシール台蓋部材の斜視図である。
【図１３】図１１のXIII-XIII部位要部断面図である。
【図１４】他の実施形態に係るシール台部材とシール台蓋部材の概略縦断面図である。
【符号の説明】
【００３９】
１…基板ケース
２…上ケース体（第１のケース部）
３…下ケース体（第２のケース部）
４…シール台蓋部材（第１の延長部）
５…シール台部材（第２の延長部）
９…封印シール
１０…ケース本体
４１、４１ａ、４１ｂ…刃部
５１、５１ａ、５１ｂ、５１ｃ…シール貼付部
５４、５４ａ、５４ｂ…空間部
９１…ＩＣタグ
【図１】
2010148596.tif 000003
【図２】
2010148596.tif 000004
【図３】
2010148596.tif 000005
【図４】
2010148596.tif 000006
【図５】
2010148596.tif 000007
【図６】
2010148596.tif 000008
【図７】
2010148596.tif 000009
【図８】
2010148596.tif 000010
【図９】
2010148596.tif 000011
【図１０】
2010148596.tif 000012
【図１１】
2010148596.tif 000013
【図１２】
2010148596.tif 000014
【図１３】
2010148596.tif 000015
【図１４】
2010148596.tif 000016